(57)【要約】【課題】画像データを伝送する伝送システムの消費電力を低減する。【解決手段】送信部１は、所定の単位の個数と所定の単位の伝送期間との積によって定義される、１フレームの画像の伝送のための予め定められた伝送期間内に、複数のデータ信号を順次出力する。一方、送信部１は、上記の予め定められた伝送期間のうちの、データ信号を含まない所定の単位の伝送時間の合計に等しい期間に制御信号を出力する。この期間が送信部１のスリープモード期間に対応する。予め定められた伝送期間に対するスリープモード期間の割合が、予め定められた伝送期間に対する、制御信号の伝送期間および制御信号の伝送のためのマージン期間との合計の割合よりも大きくなるように、スリープモード期間が設定される。【選択図】図１
2012063688.tif 000002
【特許請求の範囲】
【請求項１】
１フレームの画像が所定の単位で分割されることで生成された複数のデータ信号と、前記データ信号に基づく予め定められた処理が実行されるタイミングを制御するための制御信号とを出力する送信部と、
前記データ信号および前記制御信号を受信する受信部と、
前記送信部からの前記データ信号および前記制御信号を前記受信部に伝送するための配線部とを備え、
前記送信部は、前記所定の単位の個数と前記所定の単位の伝送期間との積によって定義される、前記１フレームの画像の伝送のための予め定められた伝送期間内に、前記複数のデータ信号を順次出力し、前記データ信号が非出力とされる第１および第２の期間のうちの前記第１の期間に前記制御信号を出力し、
前記第１の期間は、前記予め定められた伝送期間のうちの、前記データ信号を含まない前記所定の単位の伝送時間の合計に等しい期間であり、
前記第１の期間を前記送信部のスリープモード期間と定義すると、
前記予め定められた伝送期間に対する前記スリープモード期間の割合が、前記予め定められた伝送期間に対する、前記制御信号の伝送期間および前記制御信号の伝送のためのマージン期間の合計の割合よりも大きくなるように、前記スリープモード期間が設定される、画像データ伝送システム。
【請求項２】
１フレームの画像が所定の単位で分割されることで生成された複数のデータ信号と、前記データ信号に基づく予め定められた処理が実行されるタイミングを制御するための制御信号とを出力する送信部と、
前記データ信号および前記制御信号を受信する受信部と、
前記送信部からの前記データ信号および前記制御信号を前記受信部に伝送するための配線部とを備え、
前記送信部は、前記所定の単位の個数と前記所定の単位の伝送期間との積によって定義される、前記１フレームの画像の伝送のための予め定められた伝送期間内に、前記複数のデータ信号を順次出力し、前記データ信号が非出力とされる第１および第２の期間のうちの前記第２の期間に前記制御信号を出力し、
前記第１の期間は、前記予め定められた伝送期間のうちの、前記データ信号を含まない前記所定の単位の伝送時間の合計に等しい期間であり、
前記第２の期間は、前記予め定められた伝送期間のうちの、前記データ信号を含む前記所定の単位の伝送期間から前記データ信号の伝送期間を差し引いた差分の時間の合計に等しい期間であり、
前記第２の期間を前記送信部のスリープモード期間と定義すると、
前記予め定められた伝送期間に対する前記スリープモード期間の割合が、前記予め定められた伝送期間に対する、前記制御信号の伝送期間および前記制御信号の伝送のためのマージン期間の合計の割合よりも大きくなるように、前記スリープモード期間が設定される、画像データ伝送システム。
【請求項３】
前記送信部は、前記第１および第２の期間の両方において前記制御信号を出力し、
前記第１および第２の期間を前記スリープモード期間と定義すると、
前記予め定められた伝送期間に対する前記スリープモード期間の割合が、前記予め定められた伝送期間に対する、前記制御信号の伝送期間および前記制御信号の伝送のためのマージン期間の合計の割合よりも大きくなるように、前記スリープモード期間が設定される、請求項１または２に記載の画像データ伝送システム。
【請求項４】
前記第１の期間に伝送される前記制御信号は、垂直同期信号を含み、
前記垂直同期信号の伝送期間と前記垂直同期信号の伝送のための前記マージン期間との和は、前記予め定められた伝送期間の２０％以下である、請求項１または３に記載の画像データ伝送システム。
【請求項５】
前記第２の期間に伝送される前記制御信号は、水平同期信号を含み、
前記水平同期信号の伝送のための前記マージン期間は、前記水平同期信号の伝送期間の１０倍以下である、請求項２または３に記載の画像データ伝送システム。
【請求項６】
１フレームの画像が所定の単位で分割されることで生成された複数のデータ信号と、前記データ信号に基づく予め定められた処理が実行されるタイミングを制御するための制御信号とを出力する送信部と、
前記データ信号および前記制御信号を受信する受信部と、
前記送信部からの前記データ信号および前記制御信号を前記受信部に伝送するための配線部とを備え、
前記送信部は、前記１フレームの画像の伝送のための予め定められた伝送期間内に前記複数のデータ信号を順次出力するための第１および第２の伝送モードを有する一方、前記データ信号の出力を停止する場合には、前記データ信号の出力時に比較して前記送信部の消費電力が小さくなるスリープモードに移行し、
前記送信部は、前記第２の伝送モードにおいて、前記第１の伝送モードよりも、前記データ信号の伝送速度を大きくして、それにより前記送信部が前記スリープモードであるスリープモード期間の前記予め定められた伝送期間に対する割合を、前記第１の伝送モードにおける前記割合より大きくする、画像データ伝送システム。
【請求項７】
前記送信部の伝送速度が第１の速度から第２の速度に増加したときにおける前記送信部の消費電力の増加率は、前記第１の速度に対する前記第２の速度の比の１倍以下である、請求項１〜６のいずれか１項に記載の画像データ伝送システム。
【請求項８】
前記送信部は、前記スリープモード期間の間に、前記データ信号および前記制御信号の両方が非伝送となる期間を設定する、請求項１〜７のいずれか１項に記載の画像データ伝送システム。
【請求項９】
前記所定の単位は、１ラインであって、
前記１ラインに対応する伝送期間と、前記スリープモード期間とは、前記送信部で用いられるクロック信号の周期の整数倍である、請求項１〜８のいずれか１項に記載の画像データ伝送システム。
【請求項１０】
前記配線部は、前記データ信号および前記制御信号のうちの少なくとも前記データ信号を、差動シリアル伝送方式に従って伝送するように構成された信号配線を含む、請求項１〜９のいずれか１項に記載の画像データ伝送システム。
【請求項１１】
前記配線部は、
前記データ信号および前記制御信号のうちの少なくとも前記データ信号を、光信号の形態で伝送する光配線モジュールを含む、請求項１〜１０のいずれか１項に記載の画像データ伝送システム。
【請求項１２】
前記光配線モジュールの１レーンあたりの伝送速度は、５００Ｍｂｐｓ以上である、請求項１１に記載の画像データ伝送システム。
【請求項１３】
前記受信部は、表示装置に前記データ信号および前記制御信号を出力し、
前記予め定められた処理は、前記表示装置による、前記１フレームの画像の表示処理である、請求項１〜１２のいずれか１項に記載の画像データ伝送システム。
【請求項１４】
前記表示装置は、メモリを含み、
前記メモリは、前記データ信号に対応する前記１フレームの画像のデータを記憶する、請求項１３に記載の画像データ伝送システム。
【請求項１５】
前記送信部は、カメラによって取得された画像に対応する前記データ信号を送信する、請求項１〜１２のいずれか１項に記載の画像データ伝送システム。
【請求項１６】
前記送信部は、無線通信部によって受信された前記１フレームの画像に対応するデータを、前記データ信号として送信する、請求項１〜１２のいずれか１項に記載の画像データ伝送システム。
【請求項１７】
前記受信部は、前記データ信号を無線通信部に出力し、
前記無線通信部は、前記データ信号を無線によって送信する、請求項１〜１２のいずれか１項に記載の画像データ伝送システム。
【請求項１８】
請求項１〜１７のいずれか１項に記載の画像データ伝送システムを備える、電子機器。
【請求項１９】
前記電子機器は、携帯端末機器である、請求項１８に記載の電子機器。
【発明の詳細な説明】
【技術分野】
【０００１】
本発明は画像データを伝送するための画像データ伝送システムおよびそのシステムを備える電子機器に関する。
【背景技術】
【０００２】
画像を表示装置の画面に表示するために、一般的には画面の左上隅からその画面の右下隅まで画像が１ラインずつ描画される。ある１ラインの画像の表示が終了してから次のラインの画像の表示を開始するまでの期間は水平ブランキング期間と呼ばれる。一方、画面の一番下のラインの描画が終了してから、画面の一番上のラインの描画を開始するまでの時間は垂直ブランキング期間と呼ばれる。
【０００３】
近年では、液晶表示装置が画像（動画および静止画を含む）を表示するための表示装置として広く利用されている。一例では、液晶表示装置は、携帯電話に代表される携帯端末機器に搭載される。携帯端末機器の動作時間を長くするために、液晶表示装置の消費電力を低減することが要求される。
【０００４】
特開平８−３０５３１６号公報（特許文献１）は、液晶表示素子の駆動回路の消費電力を低減するための構成を開示する。上記文献によれば、表示装置は、水平ブランキング期間および垂直ブランキング期間に、駆動回路に供給されるクロック信号を停止させる手段を備える。これにより、水平ブランキング期間および垂直ブランキング期間における駆動回路の消費電力を低減することが可能になる。
【０００５】
しかしながら、ブランキング期間を単純に追加した場合には、フレームレートが低下するという課題が生じる。ディスプレイシステムでは、フレームレートが低下することを避けなければならない。
【０００６】
特開２００２−３４１８３１号公報（特許文献２）は、表示データ量の増加に対応可能な伝送レートを低消費電力で実現するための方法を開示する。上記文献によれば、１フレーム分の表示データを記憶するメモリがディスプレイに搭載される。ダミーのブランキング期間に、プロセッサからメモリにデータが転送されるとともに、メモリはそのデータを記憶する。必要な表示データがプロセッサからメモリに転送された後には、プロセッサからメモリへのデータ転送が停止される。これによって、消費電力の低減を図ることができる。
【先行技術文献】
【特許文献】
【０００７】
【特許文献１】特開平８−３０５３１６号公報
【特許文献２】特開２００２−３４１８３１号公報
【発明の概要】
【発明が解決しようとする課題】
【０００８】
特許文献１に開示された技術によれば、ブランキング期間に駆動回路が停止されるので、駆動回路の消費電力の低減を図ることができる。しかしながら一般にブランキング期間は制御信号をリアルタイムに処理するために必要な期間しか設定されていない。このためブランキング期間は、画像データが表示される期間に比較して短い。したがって１フレーム伝送期間のうちのブランキング期間に駆動回路を停止させても、駆動回路の消費電力を大きく低減することが難しい。
【０００９】
特許文献２に開示された技術によれば、プロセッサからメモリに画像データが送信されない（すなわち表示装置に表示される画像が更新されない）限り、画像を表示装置に再描画するためのデータはメモリからディスプレイに供給される。これによりプロセッサの消費電力を大きく削減できることが期待できる。しかし、特許文献２によれば、コストの増加という課題、あるいは、余分なデバイス実装領域を確保しなければならないという課題がある。
【００１０】
本発明の目的は、画像データを伝送する伝送システムの消費電力を低減することである。
【課題を解決するための手段】
【００１１】
本発明の一局面に従う画像データ伝送システムは、１フレームの画像が所定の単位で分割されることで生成された複数のデータ信号と、データ信号に基づく予め定められた処理が実行されるタイミングを制御するための制御信号を出力する送信部と、データ信号および制御信号を受信する受信部と、送信部からのデータ信号および制御信号を受信部に伝送するための配線部とを備える。送信部は、所定の単位の個数と所定の単位の伝送期間との積によって定義される、１フレームの画像の伝送のための予め定められた伝送期間内に、複数のデータ信号を順次出力し、データ信号が非出力とされる第１および第２の期間のうちの第１の期間に制御信号を出力する。第１の期間は、予め定められた伝送期間のうちの、データ信号を含まない所定の単位の伝送時間の合計に等しい期間である。第１の期間を送信部のスリープモード期間と定義すると、予め定められた伝送期間に対するスリープモード期間の割合が、予め定められた伝送期間に対する、制御信号の伝送期間および制御信号の伝送のためのマージン期間の合計の割合よりも大きくなるように、スリープモード期間が設定される。なお、第２の期間を、予め定められた伝送期間のうちの、データ信号を含む所定の単位の伝送期間からデータ信号の伝送期間を差し引いた差分の時間の合計に等しい期間としてもよい。
【００１２】
本発明の他の局面に従う画像データ伝送システムは、１フレームの画像が所定の単位で分割されることで生成された複数のデータ信号と、データ信号に基づく予め定められた処理が実行されるタイミングを制御するための制御信号とを出力する送信部と、データ信号および制御信号を受信する受信部と、送信部からのデータ信号および制御信号を受信部に伝送するための配線部とを備える。送信部は、１フレームの画像の伝送のための予め定められた伝送期間内に、複数のデータ信号を順次出力し、データ信号が非出力とされる第１および第２の期間のうちの第２の期間に制御信号を出力する。第１の期間は、予め定められた伝送期間のうちの、データ信号を含まない所定の単位の伝送時間の合計に等しい期間である。第２の期間は、予め定められた伝送期間のうちの、データ信号を含む所定の単位の伝送期間からデータ信号の伝送期間を差し引いた差分の時間の合計に等しい期間である。第２の期間を送信部のスリープモード期間と定義すると、予め定められた伝送期間に対するスリープモード期間の割合が、予め定められた伝送期間に対する、制御信号の伝送期間および制御信号の伝送のためのマージン期間の合計の割合よりも大きくなるように、スリープモード期間が設定される。
【００１３】
「画像」との用語は、写真、絵、文字、図形、記号等を含むがこれらに限定されるものではない。「画像」は、静止画および動画のいずれでもよい。
【００１４】
「データ信号に基づく予め定められた処理」とは、たとえば画像表示処理、画像データを保存する処理、画像データを転送する処理等を含むがこれらに限定されない。
【００１５】
「スリープモード期間」は、データ伝送期間に比べて送信部の消費電力が小さくなる期間である。
【００１６】
「所定の単位」とは、たとえば上記「予め定められた処理」に従って定められる。たとえば「所定の単位」の数は、画像のライン数以上である。すなわち「所定の単位」の数が画像のライン数に等しくてもよい。
【００１７】
上記構成によれば、１フレーム伝送期間に対するスリープモード期間の割合を増加させることができる。これにより、画像データを伝送するシステムの消費電力を低減することができる。
【００１８】
好ましくは、送信部は、第１および第２の期間の両方において制御信号を出力する。第１および第２の期間をスリープモード期間と定義すると、予め定められた伝送期間に対するスリープモード期間の割合が、予め定められた伝送期間に対する、制御信号の伝送期間および制御信号の伝送のためのマージン期間の合計の割合よりも大きくなるように、スリープモード期間が設定される。
【００１９】
上記構成によれば、予め定められた伝送期間に占めるスリープモード期間の割合をより増やすことができるので、画像データを伝送するシステムの消費電力をより一層低減することができる。
【００２０】
好ましくは、第１の期間に伝送される制御信号は、垂直同期信号を含む。垂直同期信号の伝送期間と垂直同期信号の伝送のためのマージン期間との和は、予め定められた伝送期間の２０％以下である。
【００２１】
好ましくは、第２の期間に伝送される制御信号は、水平同期信号を含む。水平同期信号の伝送のためのマージン期間は、水平同期信号の伝送期間の１０倍以下である。
【００２２】
本発明のさらに他の局面に従う画像データ伝送システムは、１フレームの画像が所定の単位で分割されることで生成された複数のデータ信号と、データ信号に基づく予め定められた処理が実行されるタイミングを制御するための制御信号とを出力する送信部と、データ信号および制御信号を受信する受信部と、送信部からのデータ信号および制御信号を受信部に伝送するための配線部とを備える。送信部は、１フレームの画像の伝送のための予め定められた伝送期間内に複数のデータ信号を順次出力するための第１および第２の伝送モードを有する一方、データ信号の出力を停止する場合には、データ信号の出力時に比較して送信部の消費電力が小さくなるスリープモードに移行する。送信部は、第２の伝送モードにおいて、第１の伝送モードよりも、データ信号の伝送速度を大きくして、それにより送信部がスリープモードであるスリープモード期間の予め定められた伝送期間に対する割合を、第１の伝送モードにおける割合より大きくする。
【００２３】
上記構成によれば、データ信号の伝送速度を大きくすることで１フレーム伝送期間に対するスリープモード期間の割合を増加させることができる。これにより、画像データを伝送するシステムの消費電力を低減することができる。
【００２４】
好ましくは、送信部の伝送速度が第１の速度から第２の速度に増加したときにおける送信部の消費電力の増加率は、第１の速度に対する第２の速度の比の１倍以下である。
【００２５】
上記構成によれば、送信速度を増加させることによって、データ伝送期間を短くすることができる。これにより、予め定められた伝送期間に対するスリープモード期間の割合を大きくすることができるので、送信部の消費電力を低減できる。しかし、送信速度を増加させることによって、データ伝送期間における送信部の消費電力が増加する。したがって、送信部の送信速度が第１の速度（たとえば元の速度）から第２の速度（たとえば変更後の速度）に増加したときにおける送信部の消費電力の増加率が、第１の速度に対する第２の速度の比の１倍以下とされる。これにより、送信速度が増加してもデータ伝送期間における送信部の消費電力が大きく増加することを抑制できる。したがって、伝送システムの消費電力を低減する効果がより高められる。
【００２６】
好ましくは、送信部は、スリープモード期間の間にデータ信号および制御信号の両方が非伝送となる期間を設定する。
【００２７】
上記構成によれば、スリープモード期間の間にデータ信号および制御信号の両方が非伝送となる期間を設定することで、スリープモードの期間を長くすることができる。したがって、伝送システムの消費電力を低減することができる。
【００２８】
好ましくは、所定の単位は、１ラインである。１ラインに対応する伝送期間と、スリープモード期間とは、送信部で用いられるクロック信号の周期の整数倍である。
【００２９】
上記構成によれば、１ラインに対応する伝送期間内におけるスリープモード期間の設定（たとえばデータ信号および制御信号の両方が非伝送となる期間の付加）を容易にすることができる。
【００３０】
好ましくは、配線部は、データ信号および制御信号のうちの少なくともデータ信号を、差動シリアル伝送方式に従って伝送するように構成された信号配線を含む。
【００３１】
制御信号に比較してデータ信号のデータサイズが大きい。上記構成によれば、インターフェース部において、データ信号が差動シリアル伝送方式に従って伝送されるのでデータ信号の伝送速度を高めることができる。これによりデータ伝送システムにおけるデータ伝送期間を短くすることができる。したがって、伝送システムの消費電力を低減することができる。
【００３２】
好ましくは、インターフェース部は、データ信号および制御信号のうちの少なくともデータ信号を、光信号の形態で伝送する光配線モジュールを含む。
【００３３】
上記構成によれば、インターフェース部において、データ信号が光信号の形態で伝送されるのでデータ信号の伝送速度を高めることができる。光配線モジュールを用いることで、電気配線部の長さを光配線モジュールの長さ分短くすることができるので、伝送損失が低減し、寄生容量による波形劣化の影響も軽減されるので、電気配線部の伝送速度の上限値を高くすることができる。また、光配線は、電気配線よりも伝送損失が少なく、ＥＭＩの影響を受けることなく信号を伝送することができるので電気配線よりも伝送速度を高くすることができる。したがって電気配線部よりも高い伝送速度を達成することができる。これによりデータ伝送システムにおけるデータ伝送期間を短くすることができるので、伝送システムの消費電力を低減することができる。
【００３４】
好ましくは、光配線モジュールの１レーンあたりの伝送速度は、５００Ｍｂｐｓ以上である。
【００３５】
上記構成によれば、電気配線よりも高い伝送速度が実現できる。さらに電気配線によるデータ信号の伝送に比較して、伝送システムの消費電力を低減する効果がより高められる。
【００３６】
好ましくは、受信部は、表示装置にデータ信号および制御信号を出力する。予め定められた処理は、表示装置による、１フレームの画像の表示処理である。
【００３７】
上記構成によれば、表示装置に画像データ信号を伝送するシステムの消費電力を低減することができる。さらに１フレームの画像をシステムから表示装置に伝送する期間における表示装置の消費電力を低減することもできる。
【００３８】
好ましくは、表示装置は、メモリを含む。メモリは、データ信号に対応する１フレームの画像のデータを記憶する。
【００３９】
上記構成によれば、表示装置に表示される画像をリフレッシュする際には、メモリに記憶される画像データを利用することができる。これにより、伝送システムの消費電力を低減することができる。
【００４０】
好ましくは、送信部は、カメラによって取得された画像に対応するデータ信号を送信する。
【００４１】
上記構成によれば、カメラが取得した画像を転送するシステムの消費電力を低減することができる。さらに１フレームの画像をカメラからシステムを介して伝送する期間におけるカメラの消費電力を低減することもできる。
【００４２】
好ましくは、送信部は、無線通信部によって受信された１フレームの画像に対応するデータを、データ信号として送信する。
【００４３】
上記構成によれば、無線通信部が取得した画像データを転送するシステムの消費電力を低減することができる。さらに、１フレームの画像を無線通信部からシステムを介して伝送する期間における無線通信部の消費電力も低減することができる。
【００４４】
好ましくは、受信部は、データ信号を無線通信部に出力する。無線通信部は、データ信号を無線によって送信する。
【００４５】
上記構成によれば、画像データを無線で送信する無線通信部に画像データを転送するシステムの消費電力を低減することができる。さらに、１フレームの画像に対応するデータを伝送システムから無線通信部に伝送する期間における無線通信部の消費電力も低減することができる。
【００４６】
本発明の他の局面に係る電子機器は、上記の画像データ伝送システムを備える。
好ましくは、電子機器は、携帯端末機器である。
【００４７】
上記構成によれば、画像データ伝送システムを備える電子機器の消費電力を低減できる。特に携帯端末機器に消費電力を低減することができるので、その機器の動作時間を延ばすことができる。
【発明の効果】
【００４８】
本発明によれば、画像データを伝送する伝送システムの消費電力を低減することができる。
【図面の簡単な説明】
【００４９】
【図１】本発明の実施の形態に係る画像データ伝送システムを備える電子機器の概略的構成を示したブロック図である。
【図２】図１に示した送信部１の機能ブロック図である。
【図３】水平ブランキング期間および垂直ブランキング期間を説明するための図である。
【図４】図３に示される表示処理を実現するための送信部の動作の一例を説明するためのタイミングチャートである。
【図５】実施の形態１に係る送信部によって付加された垂直ブランキング期間を説明するための図である。
【図６】実施の形態１に係る送信部１の動作を示したタイミングチャートである。
【図７】実施の形態１に従う送信部１による信号の伝送を規定するクロック信号ＣＬＫを説明するための図である。
【図８】画像データの伝送速度の増加量と、送信部１の消費電力の増加量との関係を示した図である。
【図９】第２の実施の形態に係る送信部によって付加された水平ブランキング期間を説明するための図である。
【図１０】実施の形態２に係る送信部１の動作を示したタイミングチャートである。
【図１１】１ライン伝送期間（水平走査期間）と水平ブランキング期間ＨＢＬ１，ＨＢＬ２との関係を説明するための図である。
【図１２】実施の形態３に係る送信部によって付加されたブランキング期間を説明するための第１の図である。
【図１３】図１２に示される表示処理を説明するためのタイミングチャートである。
【図１４】実施の形態３に係る送信部によって付加されたブランキング期間を説明するための第２の図である。
【図１５】実施の形態３に係る送信部によって付加されたブランキング期間を説明するための第３の図である。
【図１６】実施の形態４に係る伝送システムを含む電子機器の概略的構成を示した図である。
【図１７】差動シリアルインターフェース回路の構成例を示す図である。
【図１８】差動シリアルインターフェース回路による効果を説明するための図である。
【図１９】実施の形態４に係る送信部１の動作を示したタイミングチャートである。
【図２０】実施の形態４の変形例を示した図である。
【図２１】実施の形態５に係る伝送システムを含む電子機器の概略的構成を示した図である。
【図２２】図２１に示される光配線モジュールの構成例を示した図である。
【図２３】実施の形態５の変形例を示した図である。
【図２４】実施の形態６に係る電子機器の概略的構成を示した図である。
【図２５】リフレッシュレートおよびフレームレートを説明するための図である。
【図２６】実施の形態７に係る電子機器の概略的構成を示した図である。
【図２７】実施の形態８に係る電子機器の概略的構成を示した図である。
【図２８】実施の形態８に係る電子機器の他の構成を示した図である。
【図２９】本発明の実施形態に係る電子機器の一例である携帯電話の正面方向からの斜視図である。
【図３０】図２９に示されたヒンジ部１０１およびその周辺部分の透視平面図である。
【図３１】図２９に示した携帯電話の背面方向からの斜視図である。
【発明を実施するための形態】
【００５０】
以下において、本発明の実施の形態について図面を参照して詳しく説明する。なお、図中同一または相当部分には同一符号を付してその説明は繰り返さない。
【００５１】
［実施の形態１］
図１は、本発明の実施の形態に係る画像データ伝送システムを備える電子機器の概略的構成を示したブロック図である。図１を参照して、電子機器１００は、データ伝送システム５０を備える。データ伝送システム５０は、送信部１と、受信部２と、配線部３とを含む。
【００５２】
送信部１は、配線部３を介して受信部２に画像データ信号および制御信号を伝送する。送信部１が送信する画像データ信号および制御信号は、たとえば制御部４によって生成される。制御部４は、たとえばＭＰＵ（Micro Processing Unit）によって実現される。実施の形態１では、配線部３を介して送信部１と受信部２との間で電気信号が伝達される。配線部３は、送信部１が搭載された基板（図示せず）と接続されるコネクタＣＮ１と、受信部２が搭載された基板（図示せず）と接続されるコネクタＣＮ２とを含む。
【００５３】
受信部２は、送信部１から送られた画像データ信号および制御信号を受信するとともに、その画像データ信号および制御信号を表示装置５に転送する。表示装置５は、受信部２から画像データ信号および制御信号を受けるとともに、その画像データ信号および制御信号に基づいて、画像を表示する。
【００５４】
表示装置５は、画像を表示するための表示パネル５Ａおよび表示パネル５Ａを駆動するためのドライバ５Ｂを含む。本発明の実施の形態では、表示装置５は、液晶表示装置であり、表示パネル５Ａは液晶表示パネルである。図１では、受信部２とドライバ５Ｂとが分離された構成が示されているが、これらは一体化されていてもよい。他の実施の形態においても同様の構成を採用可能である。
【００５５】
送信部１より送信される画像データ信号は、クロック信号ＣＬＫおよびデータ信号Ｄ０〜Ｄｎを含む。クロック信号ＣＬＫは、表示装置５による画像表示処理に用いられる。１フレームの画像が１ラインごとに分割されることでデータ信号Ｄ０〜Ｄｎが複数回生成される。送信部１は、１フレームの画像の伝送のための予め定められた伝送期間の間に、データ信号Ｄ０〜Ｄｎを複数回送信する。「１フレームの画像の伝送のための予め定められた伝送期間」は、フレームレートの逆数として定められる。フレームレートは、単位時間当たりに画面が更新される回数を表わす指標であり、その単位はｆｐｓ（frame per second）である。本発明の実施の形態では、フレームレートは特に限定されるものではなく、たとえば６０（ｆｐｓ）である。フレームレートが６０ｆｐｓのときには、１フレームの画像の伝送のための予め定められた伝送期間は、約１６．７（ｍｓｅｃ）となる。
【００５６】
送信部１より送信される制御信号は、水平同期信号Ｈ−ｓｙｎｃと、垂直同期信号Ｖ−ｓｙｎｃと、データイネーブル信号ＥＮＢとを含む。水平同期信号Ｈ−ｓｙｎｃは、１水平走査期間を規定するための信号であり、垂直同期信号Ｖ−ｓｙｎｃは、１垂直走査期間を規定するための信号である。データイネーブル信号ＥＮＢは、送信部１より送信されたデータ信号Ｄ０〜Ｄｎが有効であることを示す。
【００５７】
送信部１は、受信部２および配線部３を介して、表示装置５から送信された信号ＲＥＶを受ける。信号ＲＥＶは、たとえばフレームデータの伝送が正常であるか否かを示す情報、表示パネル５Ａの表示仕様の情報などを含む。
【００５８】
図２は、図１に示した送信部１の機能ブロック図である。図２を参照して、送信部１は、クロック生成部１１と、クロック送信部１２と、画像データ信号送信部１３と、制御信号送信部１４と、送信制御部１５と、信号受信部１６とを備える。
【００５９】
クロック生成部１１は、クロック信号ＣＬＫを発生させる。クロック信号ＣＬＫは、クロック送信部１２および送信制御部１５に送られる。クロック送信部１２は、クロック信号ＣＬＫを出力する。
【００６０】
画像データ信号送信部１３は、送信制御部１５によって規定された送出タイミングに従ってデータ信号Ｄ０，Ｄ１，・・・，Ｄｎを送出する。データ信号Ｄ０，Ｄ１，・・・，Ｄｎは一括して画像データ信号送信部１３から出力される。画像データ信号送信部１３は、１フレーム伝送期間内において、１フレームの画像が分割されることによって生成された複数の画像データ信号（各画像データ信号はデータ信号Ｄ０，Ｄ１，・・・，Ｄｎに対応する）を順次送信する。
【００６１】
制御信号送信部１４は、送信制御部１５によって規定された送出タイミングに従って水平同期信号Ｈ−ｓｙｎｃと、垂直同期信号Ｖ−ｓｙｎｃと、データイネーブル信号ＥＮＢとを送信する。
【００６２】
送信制御部１５は、クロック信号ＣＬＫに従って画像データ信号送信部１３および制御信号送信部１４を制御する。具体的には、送信制御部１５は、クロック信号によって定義されるタイミングで画像データ信号が画像データ信号送信部１３から送信されるように、画像データ信号送信部１３を制御する。同じく送信制御部１５は、クロック信号によって定義されるタイミングで制御信号が制御信号送信部１４から送信されるように、制御信号送信部１４を制御する。
【００６３】
具体的には、送信制御部１５は、画像データ信号送信部１３がデータ信号Ｄ０〜Ｄｎを送信するときには制御信号送信部１４が制御信号の送信を停止するように画像データ信号送信部１３および制御信号送信部１４を制御する。その一方で、画像データ信号送信部１３がデータ信号Ｄ０〜Ｄｎの送信を停止するときには、制御信号送信部１４が制御信号の送信を停止するように画像データ信号送信部１３および制御信号送信部１４を制御する。これにより、１フレーム伝送期間に含まれるデータ信号伝送期間の間、データ信号Ｄ０〜Ｄｎと水平同期信号とが交互に出力される。
【００６４】
信号受信部１６は、信号ＲＥＶを受信する。信号ＲＥＶは、信号受信部１６から制御部４へと送られる。
【００６５】
図１および図２に示されるように、データ伝送システム５０は、送信部１と、受信部２と、配線部３とを備える。送信部１は、１フレームの画像が所定の単位で分割されることで生成された複数のデータ信号を順次出力するとともに、各データ信号（Ｄ０〜Ｄｎ）に基づく予め定められた処理が実行されるタイミングを制御するための制御信号を出力する。受信部２は、データ信号および制御信号を受信する。配線部３は、送信部１からのデータ信号および制御信号を受信部２に伝送する。
【００６６】
送信部１は、１フレームの画像の伝送のための予め定められた伝送期間内に、複数のデータ信号を順次出力する。一方、送信部１は、上記の予め定められた伝送期間のうちデータ信号が非出力とされる第１の期間に制御信号を出力する。第１の期間は、予め定められた伝送期間のうちの、データ信号を含まない所定の単位の伝送時間の合計に等しい期間である。実施の形態１では、この第１の期間が送信部１のスリープモード期間に対応する。予め定められた伝送期間に対するスリープモード期間の割合が、予め定められた伝送期間に対する、制御信号の伝送期間および制御信号の伝送のためのマージン期間の合計の割合よりも大きくなるように、スリープモード期間が設定される。
【００６７】
画像を表示装置５の画面に表示するために、画面の左上隅からその画面の右下隅まで画像が１ラインずつ描画される。画面の一番上のラインから画面の一番下のラインまで画像が描画されると、再び、画面の一番上のラインから描画が行なわれる。このような表示装置５の表示処理を実現するための送信部１の送信処理について以下に詳細に説明する。
【００６８】
図３は、水平ブランキング期間および垂直ブランキング期間を説明するための図である。図３を参照して、水平同期信号Ｈ−ｓｙｎｃは、１水平走査期間を規定する。垂直同期信号Ｖ−ｓｙｎｃは、１垂直走査期間を規定する。さらに図３に示されるように、垂直走査方向同期期間（V-sync Active；VSA）、垂直フロントポーチ期間（Vertical Front Poach；VFP）、垂直バックポーチ期間（Vertical Back Poach；VBP）、水平走査方向同期期間（H-sync Active；HSA）、水平フロントポーチ期間（Horizontal Front Poach；HFP）および水平バックポーチ期間（Horizontal Back Poach；HBP）が規定される。
【００６９】
ＶＳＡは、垂直同期信号Ｖ−ｓｙｎｃが有効である期間に相当する。この実施形態では、垂直同期信号Ｖ−ｓｙｎｃのレベルがＬ（ロー）レベルであるときに垂直同期信号Ｖ−ｓｙｎｃが有効であると定義される。ただし、垂直同期信号Ｖ−ｓｙｎｃのレベルがＨ（ハイ）レベルであるときに垂直同期信号Ｖ−ｓｙｎｃが有効であると定義されてもよい。
【００７０】
ＶＦＰおよびＶＢＰは、垂直同期信号Ｖ−ｓｙｎｃの送信タイミングのずれのためのマージン期間として設定される。ＶＦＰは、画像が画面に表示される前の期間に対応し、ＶＢＰは、画面への画像の表示が終了した後の期間に対応する。垂直ブランキング期間は、ＶＳＡとＶＦＰとＶＢＰとの和に対応する。ディスプレイ等の画像表示装置の固有のフレームレート（すなわち、１÷（１フレームの画像の伝送のための予め定められた伝送期間））が±１０％程度ばらつくことが想定される。このため実施の形態１では、垂直同期信号Ｖ−ｓｙｎｃの伝送期間と垂直同期信号Ｖ−ｓｙｎｃの伝送のためのマージン期間（ＶＦＰ，ＶＢＰ）との和は、１フレームの画像の伝送のための予め定められた伝送期間の２０％以下と定められる。この点については、他の実施の形態についても同様である。
【００７１】
一方、ＨＳＡは、水平同期信号Ｈ−ｓｙｎｃが有効である期間に相当する。垂直同期信号Ｖ−ｓｙｎｃと同様に、この実施形態では、水平同期信号Ｈ−ｓｙｎｃのレベルがＬレベルであるときに水平同期信号Ｈ−ｓｙｎｃが有効であると定義される。ただし、水平同期信号Ｈ−ｓｙｎｃのレベルがＨレベルであるときに水平同期信号Ｈ−ｓｙｎｃが有効であると定義されてもよい。
【００７２】
ＨＦＰおよびＨＢＰは、水平同期信号Ｈ−ｓｙｎｃの送信タイミングのずれのためのマージン期間として設定される。ＨＦＰは、１ライン分の画像が画面に表示される前の期間に対応し、ＶＢＰは、１ライン分の画像の表示が終了した後の期間に対応する。水平ブランキング期間は、ＨＳＡとＨＦＰとＨＢＰとの和に対応する。水平同期信号と画像データ信号の時間的なずれが、最大で水平同期信号の伝送期間の長さの１０倍程度生じることが想定される。このため実施の形態１では、ＨＦＰおよびＨＢＰの各々は、水平同期信号Ｈ−ｓｙｎｃの伝送期間の１０倍以下の期間として定義される。この点については、他の実施の形態についても同様である。
【００７３】
データイネーブル信号ＥＮＢが有効である期間は、データ信号Ｄ０〜Ｄｎが有効である期間である。この実施の形態では、データイネーブル信号ＥＮＢが有効である場合、データイネーブル信号ＥＮＢのレベルはＨレベルである。この期間は、１ラインに対応する画像が表示される期間（水平表示期間）である。
【００７４】
全ラインの画像が表示されることで１フレームに対応する画像が形成される。画面の左上隅からその画面の右下隅まで画像を描画するのに要する期間が垂直表示期間に対応する。一方、水平ブランキング期間および垂直ブランキング期間には、画像は表示されない。水平ブランキング期間と水平表示期間との和が１水平走査期間に対応する。垂直ブランキング期間と垂直表示期間との和が１垂直走査期間に対応する。
【００７５】
領域２１は、表示パネル５Ａに画像が表示される期間を表わす領域であり表示領域と対応付けられる。領域２２は、画像が非表示とされる期間を表わす領域であり、仮想的な表示領域と対応付けられる。なお、領域２１は、領域２２の内部に配置される。
【００７６】
この実施の形態では、画面に画像を表示するための制御がクロック信号に基づいて実行される。具体的には、水平表示期間、すなわちデータイネーブル信号ＥＮＢが有効である期間はクロック信号の周期の整数倍となる。同様に、ＶＦＰ、ＶＢＰ、ＶＳＡ、ＨＦＰ、ＨＳＡ、ＨＢＰの時間幅もクロック信号の周期の整数倍となる。
【００７７】
送信制御部１５は、パルスとして発せられるクロック信号ＣＬＫをカウントする。送信制御部１５はそのカウント値に基づいて制御信号送信部１４を制御することにより、制御信号送信部１４による制御信号の送信のタイミング、および制御信号が有効である期間が制御される。さらに、送信制御部１５はクロックパルスをカウントした値に基づいて画像データ信号送信部１３を制御する。これにより画像データ信号送信部１３によるデータ信号の送信のタイミングが決定される。
【００７８】
図４は、図３に示される表示処理を実現するための送信部の動作の一例を説明するためのタイミングチャートである。このタイミングチャートは、本発明の実施の形態に係る送信部の基本的動作を示している。
【００７９】
図３および図４を参照して、１フレーム伝送期間はフレームレートから予め決定される。上記のように水平同期信号Ｈ−ｓｙｎｃ、垂直同期信号Ｖ−ｓｙｎｃ、データイネーブル信号ＥＮＢが有効である期間、および、それらの信号の送信タイミング（信号の周期）はクロック信号ＣＬＫによって制御される。ただし、図が複雑になることを防ぐために図４ではクロック信号ＣＬＫは示されていない。
【００８０】
ＶＳＡは、垂直同期信号Ｖ−ｓｙｎｃが有効である期間、すなわち垂直同期信号Ｖ−ｓｙｎｃのレベルがＬレベルとなる期間である。
【００８１】
ＶＦＰおよびＶＢＰは垂直同期信号Ｖ−ｓｙｎｃの伝送のためのマージン期間として設けられる。ＶＢＰはＶＳＡの直前の期間として設定され、ＶＦＰはＶＳＡの直後の期間として設定される。
【００８２】
ＨＳＡは、水平同期信号Ｈ−ｓｙｎｃが有効である期間、すなわち水平同期信号Ｈ−ｓｙｎｃのレベルがＬレベルとなる期間である。ＨＢＰはＨＳＡよりも前の期間として設定される。一方、ＨＦＰはＨＳＡより後の期間として設定される。図３から理解されるように、このことは、１ラインに対応する画像を画面に描画する場合、そのラインの左端から右端へと画素が順次表示されることを意味する。上記のように、ＨＦＰおよびＨＢＰは水平同期信号Ｈ−ｓｙｎｃの伝送のためのマージン期間として設けられる。
【００８３】
ＨＦＰが終わったときにデータイネーブル信号ＥＮＢが有効となる。すなわちデータイネーブル信号ＥＮＢのレベルはＨレベルになる。データイネーブル信号ＥＮＢが有効となることによりデータ信号Ｄ０〜Ｄｎが送信部１から送信される。一方、データイネーブル信号ＥＮＢが無効になることによりデータ信号Ｄ０〜Ｄｎの送信が停止する。データイネーブル信号ＥＮＢが無効になるタイミングとは、データイネーブル信号ＥＮＢのレベルがＨレベルからＬレベルへと切り換わるタイミングである。具体的には、ＨＢＰの開始時点において、データイネーブル信号ＥＮＢが無効になる。
【００８４】
データ信号Ｄ０〜Ｄｎは１ラインの画像に対応する。１フレーム伝送期間の間、データイネーブル信号ＥＮＢは、データ信号Ｄ０〜Ｄｎの送信回数に対応する回数、繰り返し有効となる。これにより、データ信号Ｄ０〜Ｄｎは１フレーム伝送期間の間、複数回送信される。
【００８５】
画像データ信号伝送期間はＶＦＰの終了後にＨＦＰを経て開始される。画像データ信号伝送期間の長さは、データイネーブル信号ＥＮＢの周期および、１フレーム伝送期間中にデータイネーブル信号ＥＮＢが有効となる回数（データ信号Ｄ０〜Ｄｎの送信回数）に基づいて決定される。画像データ信号伝送期間はＶＦＰ終了した時点からＨＦＰを経過したときに開始される。
【００８６】
信号ＲＥＶは、垂直ブランキング期間において表示装置５から送信部１へと伝送される。
【００８７】
送信部１の動作モードは、アクティブモードとスリープモードとの間で切り換わる。アクティブモードとは、データ信号Ｄ０〜Ｄｎを伝送するためのモードである。データ信号Ｄ０〜Ｄｎに含まれるデータサイズは、制御信号に含まれるデータサイズに比べて大きい。このため、送信部１がアクティブモードにあるときには、単位時間当たりの送信部１の消費電力が高くなる。一方、スリープモードでは、送信部１がデータ信号Ｄ０〜Ｄｎの伝送を停止する。この実施の形態では、スリープモード期間とは、上記の第１の期間、すなわち１フレーム伝送期間として予め定められた伝送期間のうちの、データ信号を含まない所定の単位（１ライン）の伝送時間の合計に等しい期間である。画像データ信号伝送期間は、複数のデータ信号のうちの最初のデータ信号の送信の開始から、複数のデータ信号のうちの最後のデータ信号の送信の終了までの期間に対応する。スリープモードにおける単位時間当たりの送信部１の消費電力は、アクティブモードにおける単位時間当たりの送信部１の消費電力に比べて小さい。
【００８８】
上記のようにスリープモードにおいてデータ信号Ｄ０〜Ｄｎの伝送が停止されるので、１フレーム伝送期間における送信部１の平均的な消費電力が増大することを防止できる。しかしながら図４のタイミングチャートによれば、ブランキング期間は、制御信号の伝送のための期間（ＶＳＡおよびＨＳＡ）と、その信号の伝送のためのマージン期間（ＶＦＰ，ＶＢＰ，ＨＦＰ，ＨＢＰ）とによって構成される。したがって１フレーム伝送期間に対するブランキング期間の割合は小さい。このため、消費電力を低減する効果が十分に得られない。そこで、本発明の実施の形態では、１フレーム伝送期間に対するスリープモード期間の割合を大きくする。この割合を大きくすることで、１フレーム伝送期間における送信部１の平均的な消費電力を低減することができる。
【００８９】
実施の形態１では、垂直ブランキング期間が付加される。図５は、実施の形態１に係る送信部によって付加された垂直ブランキング期間を説明するための図である。図３および図５を参照して、領域２２Ａは、垂直ブランキング期間ＶＢＬ１およびＶＢＬ２に対応する領域を含む点において、領域２２と異なる。垂直ブランキング期間ＶＢＬ１に対応する領域は、垂直フロントポーチＶＦＰに対応する領域のすぐ上側に位置する。一方、垂直ブランキング期間ＶＢＬ２に対応する領域は、垂直走査方向同期期間ＶＳＡに対応する領域のすぐ下側に位置する。
【００９０】
垂直ブランキング期間ＶＢＬ１，ＶＢＬ２の各々に対応するライン（水平走査期間）の数は少なくとも１であればよく、特に限定されるものではない。さらに、垂直ブランキング期間ＶＢＬ１，ＶＢＬ２の設定（垂直ブランキング期間ＶＢＬ１，ＶＢＬ２に対応する領域の配置）は図５に示されるように限定されるものではない。領域２２Ａの垂直方向における任意の位置に垂直ブランキング期間ＶＢＬ１，ＶＢＬ２に対応する領域を配置することができる。すなわち１フレーム伝送期間中の任意のタイミングに垂直ブランキング期間を付加することができる。
【００９１】
さらに、垂直ブランキング期間ＶＢＬ１，ＶＢＬ２の両方を設定する必要があるものと限定されない。上記のように、少なくとも１水平走査期間に対応する垂直ブランキング期間が、図４に示されたタイミングチャートに新たに追加されればよい。すなわち実施の形態１によれば、Ｎを１以上の整数とすると、１フレーム伝送期間内の任意のタイミングにおいて、Ｎ本のライン（１水平走査期間のＮ倍の期間）に対応する垂直ブランキング期間が設定される。
【００９２】
図６は、実施の形態１に係る送信部１の動作を示したタイミングチャートである。図４および図６を参照して、ＶＦＰの直前の期間としてＶＢＬ１が設定される。さらにＶＳＡの直後の期間としてＶＢＬ２が設定される。このことは図５に示された垂直ブランキング期間ＶＢＬ１，ＶＢＬ２の設定と対応する。
【００９３】
実施の形態１では、制御信号（垂直同期信号Ｖ−ｓｙｎｃ）とデータ信号との両方が伝送されない垂直ブランキング期間ＶＢＬ１，ＶＢＬ２が付加されることで、スリープモード期間がＶＦＰ＋ＶＢＰ＋ＶＳＡよりも大きくなる。実施の形態１では「１フレームの画像の伝送のための予め定められた伝送期間」−「画像データ信号伝送期間」−「制御信号伝送期間」−「マージン期間」として定義されるブランキング期間（ＶＢＬ１，ＶＢＬ２）をスリープモード期間に付加する。これにより実施の形態１においては、以下の式（１）に示される関係が満たされる。
【００９４】
（１フレーム伝送期間に含まれるスリープモード期間／１フレーム伝送期間）＞（制御信号の伝送期間と制御信号の伝送のためのマージン期間の合計／１フレーム伝送期間）  …（１）
図５および図６を参照して、１本のラインは、１フレームの画像を分割するための所定の単位に対応する。所定の単位（１ライン）の数と、所定の単位の伝送期間との積によって、１フレーム伝送期間を定義することができる。１フレーム伝送期間に含まれる所定の単位の中には、データ信号を含むものとデータ信号を含まないものとがある。データ信号を含まない「所定の単位」の伝送期間の合計が、上記「スリープモード期間」（第１の期間）に対応する。一方、１フレーム伝送期間のうち、データ信号を含む「所定の単位」の伝送期間からデータ信号の伝送期間を差し引いた差分の期間の合計を第２の期間とする。第１の期間は、ＶＢＬ＋ＶＦＰ＋ＶＢＰ＋ＶＳＡ＋ＶＢＬ２に相当する。一方、第２の期間は、画像データ信号伝送期間中の（ＨＢＰ＋ＨＳＡ＋ＨＦＰ）の合計の期間、ＶＦＰの終了から画像データ信号伝送期間の開始までの期間、および画像データ信号伝送期間の終了からＶＢＰの開始までの期間を含む。
【００９５】
なお、図６のタイミングチャートでは、画像データ信号伝送期間全体が送信部１のアクティブモードに対応する期間と定義されている。ただし図４に示されるタイミングチャートと同様に、データイネーブル信号ＥＮＢが有効である期間のみがアクティブモード期間と定義されてもよい。すなわち、１フレーム伝送期間内に、アクティブモード期間が断続的に（非連続的に）発生してもよい。
【００９６】
図４に示したタイミングチャートに垂直ブランキング期間を単純に追加した場合、１フレーム伝送期間が元の伝送期間よりも長くなる。１フレーム伝送期間が長くなることはフレームレートの低下を意味する。フレームレートが低下することによって、画像の滑らかな表示を実現することが難しくなる。実施の形態１では、クロック周波数を高くすることでクロック信号ＣＬＫの周期を短くする。これにより１フレーム伝送期間が長くなることを防ぐことができる。
【００９７】
図７は、実施の形態１に従う送信部１による信号の伝送を規定するクロック信号ＣＬＫを説明するための図である。図７を参照して、クロック信号ＣＬＫａは、図４に示すタイミングチャートに従う処理に用いられるクロック信号を示す。クロック信号ＣＬＫｂは、実施の形態１に従う処理、すなわち図６に示すタイミングチャートに従う処理に用いられるクロック信号を示す。クロック信号ＣＬＫａの周期Ｔａはクロック信号ＣＬＫｂの周期Ｔｂよりも長い。言い換えるとクロック信号ＣＬＫｂの周波数は、クロック信号ＣＬＫａの周波数よりも高い。
【００９８】
送信制御部１５は、クロックパルスをカウントするとともに、そのカウント数（パルス数）に基づいて、画像データ信号送信部１３による画像データ信号の送信のタイミングおよび、制御信号送信部１４による制御信号の送信のタイミングを制御する。このためクロック信号の周波数が変化しても送信制御部１５の処理は基本的には変わらない。したがって、ＶＳＡ，ＶＦＰ等の長さは、単純にクロック信号の周波数に反比例する。クロック信号の周波数を高くすることによってＶＳＡ，ＶＦＰが短くなる。これにより、１フレーム伝送期間を変えることなく、垂直ブランキング期間（ＶＢＬ１，ＶＢＬ２）を付加することができる。これにより１フレーム伝送期間に対するスリープモード期間の割合を高めることができる。
【００９９】
実施の形態１によれば、１フレーム伝送期間を変えることなく垂直ブランキング期間を付加するため、画像データ信号伝送期間が短くなる。このため、画像データ信号送信部１３によるデータ信号の伝送速度を高くしなければならない。しかしながら伝送速度が高くなることで、画像データ信号伝送期間における送信部１の消費電力（特に画像データ信号送信部１３の消費電力）が増加する。このため、１フレーム伝送期間における送信部１の消費電力を削減する効果が小さくなる可能性がある。
【０１００】
図８は、画像データの伝送速度の増加率と、送信部１の消費電力の増加率との関係を示した図である。図８を参照して、グラフの横軸は、伝送速度の増加率（第１の伝送速度ｖ１に対する第２の伝送速度ｖ２の割合）を示し、グラフの縦軸は、送信部１の消費電力の増加率（ｐ２／ｐ１）を示す。消費電力ｐ１は、第１の伝送速度ｖ１における送信部１の消費電力であり、消費電力ｐ２は、第２の伝送速度ｖ１における送信部１の消費電力である。図８に示されるように、消費電力の増加率は伝送速度の増加率に対して比例する。
【０１０１】
破線の傾きは、１であり、消費電力の増加率が伝送速度の増加率と等しいことを示す。破線で示されるように消費電力が増加することで、１フレーム伝送期間に占めるスリープモード期間の割合を増やしたとしても、１フレーム伝送期間での送信部の平均的な消費電力を低減する効果が弱くなる可能性がある。
【０１０２】
一方、実線の傾きは、破線の傾き（すなわち１）よりも小さい。この場合、伝送速度が第１の速度から第２の速度に増加しても送信部１の消費電力の増加が抑制される。このため、１フレーム伝送期間に占めるスリープモード期間の割合を増やすことで、１フレーム伝送期間での送信部の平均的な消費電力を低減する効果が高められる。したがって、伝送システムの消費電力を低減する効果がより高められる。本発明の実施の形態では、図８の実線の傾きに対応する関係が満たされる伝送速度の範囲内で送信部１の伝送速度が設定される。
【０１０３】
なお、以下に説明する各実施の形態に係る送信部においても図８に示した実線によって定められる、伝送速度と消費電力との間の関係が満たされることが好ましい。このため、以下では図８に示される関係について詳細な説明を繰り返さない。
【０１０４】
また、上記の説明では、画像データ信号の伝送のための送信部１の伝送モードとして、図６および図７に示された伝送モードのみが示される。ただし、送信部１は、単一の伝送モード（実施の形態１の場合には、図６および図７に示された伝送モード）を有するものと限定されない。具体的には、送信部１は、図４および図５に示された伝送モード（第１のモード）と、図６および図７に示された伝送モード（第２のモード）との両方を有することもできる。この場合、送信部１は、所定の条件、たとえば、図１に示した表示装置５での表示モードに従って上記第１のモードと第２のモードとを切換えることができる。以下に説明する各実施の形態においても同様に、送信部は、図４および図５に示された第１の伝送モードと、その伝送モードよりも伝送速度の大きい第２の伝送モードを有することができる。ただしその場合には、上記の通り、図８中の実線によって示された、伝送速度と消費電力との間の関係が満たされることが好ましい。
【０１０５】
以上のように実施の形態１によれば、１フレーム伝送期間に対するスリープモード期間の割合が、１フレーム伝送期間に対する、制御信号（垂直同期信号）の伝送期間および制御信号の伝送のためのマージン期間（ＶＦＰ，ＶＢＰ）の合計の割合よりも大きくなるように、スリープモードの期間が設定される。これにより、１フレーム伝送期間における送信部１の平均的な消費電力が低減される。したがって、実施の形態１によれば、送信部１の消費電力を低減することができる。さらに実施の形態１によれば、１フレーム伝送期間における表示装置５の消費電力も低減することができる。
【０１０６】
［実施の形態２］
実施の形態２では、水平ブランキング期間が付加される。この点において実施の形態２は実施の形態１と異なる。
【０１０７】
実施の形態２に係る電子機器の構成は、図１に示される電子機器１００の構成と同様である。さらに実施の形態２に係る送信部の構成は図２に示される送信部１の構成と同様である。したがって、実施の形態２に係る電子機器および送信部の構成については以後の詳細な説明を繰り返さない。
【０１０８】
図９は、第２の実施の形態に係る送信部によって付加された水平ブランキング期間を説明するための図である。図３および図９を参照して、領域２２Ｂは、水平ブランキング期間ＨＢＬ１およびＨＢＬ２に対応する領域を含む点において領域２２と異なる。水平ブランキング期間ＨＢＬ１に対応する領域は、水平フロントポーチ期間ＨＦＰに対応する領域と、領域２１との間に位置する。水平ブランキング期間ＨＢＬ２に対応する領域は、領域２１と水平フロントポーチ期間ＨＦＰに対応する領域との間に位置する。
【０１０９】
図１０は、実施の形態２に係る送信部１の動作を示したタイミングチャートである。図４および図１０を参照して、ＨＢＰの直前の期間としてＨＢＬ２が設定される。さらにＨＦＰの直後の期間としてＨＢＬ１が設定される。このことは図９に示される水平ブランキング期間ＨＢＬ１，ＨＢＬ２の設定と対応する。
【０１１０】
図９および図１０を参照して、第１の期間は、予め定められた伝送期間のうちの、データ信号を含まない所定の単位の伝送時間の合計に等しい期間である。従ってこの実施の形態では、第１の期間はＶＦＰ＋ＶＢＰ＋ＶＳＡに対応する。第２の期間は、予め定められた伝送期間のうちの、データ信号を含む所定の単位の伝送期間からデータ信号の伝送期間を差し引いた差分の時間の合計に等しい期間である。従ってこの実施の形態では、第２の期間は、画像データ信号伝送期間中の（ＨＢＬ２＋ＨＢＰ＋ＨＳＡ＋ＨＦＰ＋ＨＢＬ１）の合計の期間、ＶＦＰの終了から画像データ信号伝送期間の開始までの期間、および画像データ信号伝送期間の終了からＶＢＰの開始までの期間を含む。水平ブランキング期間ＨＢＬ１，ＨＢＬ２は、いずれも、データ信号および制御信号（水平同期信号Ｈ−ｓｙｎｃ）の両方が伝送されない期間である。
【０１１１】
実施の形態２では、第２の期間を式（１）におけるスリープモード期間と定義する。実施の形態２では、式（１）における「制御信号」をＨ−ｓｙｎｃとし、式（１）におけるマージン期間をＨＦＰおよびＨＢＰとする。実施の形態１と同様に、実施の形態２においても式（１）に示す関係が成立する。
【０１１２】
実施の形態２では、各水平走査期間に水平ブランキング期間ＨＢＬ１，ＨＢＬ２が挿入される。これによって、式（１）に示した関係が満たされるように１フレーム伝送期間に占めるスリープモード期間の割合を大きくすることができるので、１フレーム伝送期間における送信部１の平均的な消費電力を低減することができる。実施の形態１と同様に、実施の形態２においても、クロック周波数を高くすることによって、１フレーム伝送期間が長くなる（フレームレートを低下させる）ことなく水平ブランキング期間ＨＢＬ１，ＨＢＬ２を設定することができる。
【０１１３】
図１１は、１ライン伝送期間（水平走査期間）と水平ブランキング期間ＨＢＬ１，ＨＢＬ２との関係を説明するための図である。図１１を参照して、Ｔはクロックサイクル（クロック信号ＣＬＫの周期）である。ＨＢＬ１，ＨＢＬ２の長さをそれぞれＴＭ１，ＴＭ２とする。一方、ＨＳＡ、ＨＦＰ、画像データ信号伝送期間、およびＨＢＰの長さをそれぞれＴＬ１，ＴＬ２，ＴＬ３，ＴＬ４とする。Ｍをサイクル数（整数）とすると、マージン期間（水平ブランキング期間ＨＢＬ１，ＨＢＬ２）は、ＴＭ１＋ＴＭ２＝Ｍ＊Ｔと表わされる。一方、ＴＬ１＋ＴＬ２＋ＴＬ３＋ＴＬ４はＬ＊Ｔと表わされる。Ｌは整数である。さらに、Ｐをサイクル数（整数）とすると、１ライン伝送期間（１水平走査期間）は、Ｐ＊Ｔと表わされる。Ｐ，Ｌ，Ｍとの間にはＰ＝Ｍ＋Ｌの関係が成立する。
【０１１４】
すなわち１ライン伝送期間および水平ブランキング期間ＨＢＬ１（ＨＢＬ２）は、いずれもクロックサイクル数の整数倍の値となる。これにより、１ライン伝送期間中の任意のタイミングにおいて水平ブランキング期間を設けることができる。
【０１１５】
以上のように実施の形態２によれば、実施の形態１と同様に送信部１の消費電力を低減することができる。実施の形態２によれば、さらに、１フレーム伝送期間における表示装置５の消費電力も低減することができる。
【０１１６】
［実施の形態３］
実施の形態３では、表示画面の一部の領域に画像が表示される。この点において実施の形態３は実施の形態１，２と異なる。実施の形態３に係る電子機器の構成は、図１に示される電子機器１００の構成と同様である。さらに実施の形態３に係る送信部の構成は図２に示される送信部１の構成と同様である。したがって、実施の形態３に係る電子機器および送信部の構成については以後の詳細な説明を繰り返さない。
【０１１７】
図１２は、実施の形態３に係る送信部によって付加されたブランキング期間を説明するための第１の図である。図３および図１２を参照して、領域２３Ａは、垂直ブランキング期間ＶＢＬ１，ＶＢＬ２の各々に対応する領域の配置の点において領域２２と異なる。具体的に説明すると、領域２３Ａにおいては、垂直ブランキング期間ＶＢＬ１に対応する領域がＶＦＰに対応する領域の下部に配置されるとともに、垂直ブランキング期間ＶＢＬ２に対応する領域がＶＢＰに対応する領域の上部に配置される。この結果、領域２１Ａは、図３に示された領域２１を垂直方向に縮小したものとなる。領域２１Ａは、画面中の表示領域が垂直方向に縮小されることを示している。
【０１１８】
図１３は、図１２に示される表示処理を説明するためのタイミングチャートである。図１３を参照して、ＶＦＰの直後の期間がＶＢＬ２として設定される。さらにＶＢＰの直前の期間がＶＢＬ１として設定される。このことは図１２に示される垂直ブランキング期間ＶＢＬ１，ＶＢＬ２の設定と対応する。
【０１１９】
図１４は、実施の形態３に係る送信部によって付加されたブランキング期間を説明するための第２の図である。図９および図１４を参照して、領域２１Ｂは、領域２１を水平方向に縮小した領域に相当する。領域２１Ｂは、画面中の表示領域が水平方向に縮小されることを示している。
【０１２０】
水平ブランキング期間ＨＢＬ１，ＨＢＬ２の各々に対応する領域の配置の点については、実施の形態３と実施の形態２とで同じである。このため、図１４に示される表示処理を説明するためのタイミングチャートは、図１０に示されるタイミングチャートと実質的に同じである。
【０１２１】
図１５は、実施の形態３に係る送信部によって付加されたブランキング期間を説明するための第３の図である。図１５を参照して、垂直ブランキング期間ＶＢＬ１，ＶＢＬ２に対応する領域および水平ブランキング期間ＨＢＬ１，ＨＢＬ２に対応する領域が付加される。領域２１Ｃは、図３に示される領域２１を水平方向および垂直方向に縮小した領域に対応する。図１５に示される表示処理は図１２に示される表示処理と図１４に示される表示処理とを組み合わせた処理に対応する。
【０１２２】
この場合、式（１）におけるスリープモード期間は、第１の期間と、第２の期間とを含む。さらに、実施の形態３では、式（１）における「制御信号」を水平同期信号Ｈ−ｓｙｎｃおよび垂直同期信号Ｖ−ｓｙｎｃとし、式（１）におけるマージン期間をＨＦＰ，ＨＢＰ，ＶＦＰおよびＶＢＰとする。実施の形態１，２と同様に、実施の形態３においても式（１）に示す関係が成立する。
【０１２３】
以上のように実施の形態３では、画面の一部の領域に画像が表示される。すなわち実施の形態３では、実表示領域が水平方向および垂直方向のうち少なくとも一方の方向に縮小される。これにより、水平ブランキング期間および垂直ブランキング期間の少なくとも一方を設けることができるので、送信部の１フレーム伝送期間における平均的な消費電力を低減することができる。さらに、１フレーム伝送期間における表示装置５の消費電力も低減することができる。
【０１２４】
なお、領域２１Ｃの大きさが領域２１の大きさに等しい場合における表示処理は、実施の形態１に係る処理（図５を参照）と実施の形態２に係る処理（図９を参照）とを組み合わせた処理に対応する。すなわち、実施の形態１に係る処理と実施の形態２に係る処理とを組み合わせることで、通常サイズの画面に画像を表示する場合にも、水平ブランキング期間および垂直ブランキング期間の両方を１フレーム伝送期間内に付加することができる。
【０１２５】
［実施の形態４］
図１６は、実施の形態４に係る伝送システムを含む電子機器の概略的構成を示した図である。図１および図１６を参照して、電子機器１００Ａは、データ伝送システム５０に代えてデータ伝送システム５０Ａを備える点で電子機器１００と異なる。データ伝送システム５０Ａは、配線部３に代えて配線部３Ａを備える点においてデータ伝送システム５０と異なる。
【０１２６】
配線部３Ａは、差動シリアルインターフェースを備える。この実施形態では、クロック信号ＣＬＫの伝送のための差動伝送線路、およびデータ信号Ｄ０〜Ｄｎにそれぞれ対応する（ｎ＋１）個の差動伝送線路が配線部３Ａに設けられる。
【０１２７】
図１７は、差動シリアルインターフェース回路の構成例を示す図である。図１７を参照して、送信部１は、トランスミッタ３１を含む。受信部２は、レシーバ３２を含む。トランスミッタ３１とレシーバとは、差動伝送線路３３によって接続される。トランスミッタ３１は、送信すべき信号（クロック信号ＣＬＫ、データ信号Ｄ０〜Ｄｎの各々）を、差動信号に変換するとともに、その差動信号を差動伝送線路３３に出力する。レシーバ３２は、差動伝送線路３３を介してその差動信号を受信するとともに、その差動信号に基づいて、トランスミッタ３１が送信すべき信号を復元する。
【０１２８】
差動伝送は、高速のデータ伝送が可能という特徴、ノイズ耐性が高いという特徴などを備えている。データ信号Ｄ０〜Ｄｎの伝送に差動シリアル伝送方式が適用されるので、データ信号Ｄ０〜Ｄｎを高速で伝送することが可能となる。
【０１２９】
図１８は、差動シリアルインターフェース回路による効果を説明するための図である。図１８を参照して、差動シリアルインターフェース回路によってデータ信号Ｄ０〜Ｄｎの伝送が高速化されることによって、画像データ信号伝送期間が短縮されるので、領域２１が縮小される。すなわち図１５に示した状態と同じ状態を発生させることができる。ただし、実際の画面における画像の表示領域は縮小されない。この点で実施の形態４は実施の形態３と異なっている。
【０１３０】
図１９は、実施の形態４に係る送信部１の動作を示したタイミングチャートである。図４および図１９を参照して、実施の形態４では、差動シリアル伝送方式に従ってデータ信号を伝送することにより、１フレームデータ伝送期間を変えることなく画像データ信号伝送時間が短縮される。これによって水平ブランキング期間ＨＢＬ１，ＨＢＬ２および垂直ブランキング期間ＶＢＬ１，ＶＢＬ２を設定することができる。
【０１３１】
実施の形態４によれば、実施の形態１〜３と同じように、１フレーム伝送期間におけるスリープモード期間の割合を高くすることができるので、送信部１の消費電力を低減することが可能になる。さらに１フレーム伝送期間における表示装置５の消費電力も低減することができる。
【０１３２】
図２０は、実施の形態４の変形例を示した図である。図１６および図２０を参照して、電子機器１００Ｂは、データ伝送システム５０Ａに代えてデータ伝送システム５０Ｂを備える点で電子機器１００Ａと異なる。データ伝送システム５０Ｂは、配線部３Ａに代えて配線部３Ｂを備える点においてデータ伝送システム５０Ａと異なる。配線部３Ｂは、データ信号だけでなく制御信号も差動シリアル伝送方式に従って伝送されるよう構成される。すなわち、クロック信号ＣＬＫおよびデータ信号Ｄ０〜Ｄｎの各々に対して差動伝送線路が設けられるだけでなく水平同期信号Ｈ−ｓｙｎｃ、垂直同期信号Ｖ−ｓｙｎｃ、データイネーブル信号ＥＮＢおよび信号ＲＥＶの各々に対して差動伝送線路が設けられる。
【０１３３】
［実施の形態５］
図２１は、実施の形態５に係る伝送システムを含む電子機器の概略的構成を示した図である。図１および図２１を参照して、電子機器１００Ｃは、データ伝送システム５０に代えてデータ伝送システム５０Ｃを備える点で電子機器１００と異なる。データ伝送システム５０Ｃは、配線部３に代えて配線部３Ｃを備える点においてデータ伝送システム５０と異なる。
【０１３４】
配線部３Ｃは、光配線モジュール３５Ａおよび電気配線部３５Ｂを備える。この実施形態では、光配線モジュール３５Ａにおいてクロック信号ＣＬＫおよびデータ信号Ｄ０〜Ｄｎが光信号の形態で伝送される。送信部１から送信されたクロック信号ＣＬＫおよびデータ信号Ｄ０〜Ｄｎは電気信号である。光配線モジュール３５Ａは、その電気信号を光信号に変換する。後述するように、光信号は光配線を伝達する。光配線を伝達した光信号は、光配線モジュール３５Ａによって電気信号に変換されて、その電気信号は受信部２へと送られる。電気配線部３５Ｂは、水平同期信号Ｈ−ｓｙｎｃ等の制御信号を電気信号の形態で伝送する電気配線を含む。
【０１３５】
図２２は、図２１に示される光配線モジュールの構成例を示した図である。図２２を参照して、光配線モジュール３５Ａは、光送信部３６と、光受信部３７と、光配線３８とを備える。光送信部３６は、駆動回路３６Ａと、光源３６Ｂとを備える。
【０１３６】
駆動回路３６Ａは、入力される信号（クロック信号ＣＬＫ、データ信号Ｄ０〜Ｄｎなど）に従って光源３６Ｂを駆動する。光源３６Ｂは、光配線３８を伝達する光を発生させる。光源３６Ｂは、代表的には半導体レーザである。一例として、光源３６ＢはＶＣＳＥＬ（Vertical Cavity-Surface Emitting Laser））を含む。
【０１３７】
駆動回路３６Ａは、光源３６Ｂ（半導体レーザ）に駆動電流を供給するとともに、その駆動電流を駆動回路３６Ａに入力される信号に従って変調する。これにより、光源３６Ｂから発せられる光が変調されて光信号が発生される。
【０１３８】
光配線３８の材料にはガラスあるいは樹脂を用いることができる。特に樹脂の中でもアクリル系、エポキシ系、ウレタン系、及びシリコーン系等の樹脂材料を使用することが好ましい。これらの樹脂を用いることによって、十分な可撓性を有する光配線を実現できる。光配線が十分な可撓性を有することにより、光配線モジュール３５Ａを電子機器に実装する際に、光配線３８を容易に配置することができる。
【０１３９】
光受信部３７は、受光部３７Ｂおよび増幅器３７Ａを備える。受光部３７Ｂは、光配線３８を伝達した光信号を受けるとともに、その光信号を電気信号に変換する。一例として、受光部３７Ｂはフォトダイオードである。増幅器３７Ａは、受光部３７Ｂから出力された電気信号を増幅する。
【０１４０】
実施の形態５によれば、クロック信号およびデータ信号Ｄ０〜Ｄｎの伝送のために光配線モジュールが用いられる。これにより、実施の形態４よりも信号の伝送速度をさらに高めることができる。好ましくは、１つの信号を伝送する１レーンあたりの伝送速度は、５００Ｍｂｐｓ以上である。実施の形態４では、差動電圧を利用するシリアルインターフェース（電気配線）によって信号が伝送される。しかし低電圧差動シリアルインターフェースの場合、１レーンあたりの伝送速度は、最大で５００Ｍｂｐｓ程度である。これに対して実施の形態５では、高速での信号伝送が可能な光配線を伝送路の途中に挿入することによって、電気配線部の長さを光配線モジュールの長さ分短くすることができるので、伝送損失が低減し、寄生容量による波形劣化の影響も軽減されるので、電気配線部の伝送速度の上限値を高くすることができる。また、光配線は、電気配線よりも伝送損失が少なく、ＥＭＩの影響を受けることなく信号を伝送することができるので、電気配線よりも伝送速度を高くすることができる。この点からも電気配線部よりも高い伝送速度を達成することができる。したがって実施の形態５によれば、電気配線による伝送速度よりも高い伝送速度（５００Ｍｂｐｓ以上の速度）を達成することができる。これにより実施の形態４と同様に、画像データ伝送期間を短くすることができるので、１フレーム伝送期間におけるスリープモード期間の割合を高くすることができる。したがって送信部１の消費電力を低減することが可能になる。さらに１フレーム伝送期間における表示装置５の消費電力も低減することができる。
【０１４１】
さらに、光配線を用いることによって、ノイズ（電磁輻射ノイズなど）に対する信号の耐性を高めることができる。これにより画像データ信号の伝送の信頼度を高めることができる。したがって、たとえば画像データ信号の再送信を不要とすることができる。
【０１４２】
また、シリアルデータ信号を高速に伝送する場合には、一般に、そのシリアルデータ信号において０または１が一定回数以上連続しないようにコーディングが必要となる。電気配線のみによってシリアルデータ信号を高速に伝送する場合には、送信部１および受信部２においてコーディングが必要となる。しかしながら、光配線モジュールを用いることによって、その光配線モジュールの内部にてコーディングを行なうことが可能になるため、送信部１および受信部２におけるコーディングを不要とすることができる。これにより、送信部１および受信部２の消費電力を低減することができる。また、送信部１および受信部２にコーディングの機能を付加する必要がないため、伝送システムの低コスト化を図ることもできる。
【０１４３】
図２３は、実施の形態５の変形例を示した図である。図２１および図２３を参照して、電子機器１００Ｄは、データ伝送システム５０Ｃに代えてデータ伝送システム５０Ｄを備える点で電子機器１００Ｃと異なる。データ伝送システム５０Ｄは配線部３Ｃを含む。配線部３Ｃにおいて、光配線モジュール３５Ａは、画像データ信号（クロック信号ＣＬＫおよびデータ信号Ｄ０〜Ｄｎ）だけでなく制御信号（水平同期信号Ｈ−ｓｙｎｃ等）も光信号の形態で伝送する。なお、図２３に示された構成では、信号ＲＥＶが電気配線部３５Ｂを伝達するが、信号ＲＥＶも光配線モジュールによって伝送されてもよい。
【０１４４】
［実施の形態６］
図２４は、実施の形態６に係る電子機器の概略的構成を示した図である。図１および図２４を参照して、電子機器１００Ｅの基本的な構成は、電子機器１００の構成と同様である。ただし、表示パネル５Ａを駆動するためのドライバ５Ｂは、メモリ５Ｃを含む。この点において、電子機器１００Ｅは電子機器１００と異なる。
【０１４５】
図２４に示された構成では、電子機器１００Ｅは、実施の形態１に係るデータ伝送システム５０を備える。ただし、電子機器１００Ｅはデータ伝送システム５０に代えて、上記のデータ伝送システム５０Ａ〜５０Ｄのいずれか１つを備えることもできる。
【０１４６】
メモリ５Ｃは、送信部１から伝送された１フレームの画像に対応するデータを記憶する。メモリ５Ｃは、たとえばフレームメモリである。なお、メモリ５Ｃは、ドライバ５Ｂとは独立に表示装置５の内部に設けられていてもよい。ドライバ５Ｂが表示パネル５Ａに表示された画像を再描画する（リフレッシュする）場合には、メモリ５Ｃに記憶された画像データが使用される。一方、ドライバ５Ｂが表示パネル５Ａに表示された画像を新しい画像に変更する場合には、その新しい画像に対応する画像データ信号が送信部１から送信される。
【０１４７】
図２５は、リフレッシュレートおよびフレームレートを説明するための図である。図２４および図２５を参照して、周期Ｔｒは、メモリ５Ｃからドライバ５Ｂに画像データが伝送される周期を示す。リフレッシュレートは、周期Ｔｒの逆数である。周期Ｔｆは、送信部１からメモリ５Ｃに画像データが伝送される周期を示す。フレームレートは周期Ｔｆの逆数である。
【０１４８】
一般に、リフレッシュレートはフレームレートの整数倍である。表示画像が変更されない間は、リフレッシュレートに従って、メモリ５Ｃからドライバ５Ｂに画像データが伝送される。このため、実施の形態６によれば、送信部１がリフレッシュレートに従って画像データ信号を送信する場合に比較して送信部１の消費電力を低減することができる。
【０１４９】
［実施の形態７］
図２６は、実施の形態７に係る電子機器の概略的構成を示した図である。図１および図２６を参照して、電子機器１００Ｆは、表示装置５に代えてカメラ６を備える点において電子機器１００と異なる。データ伝送システム５０Ｆは、カメラ６からの画像データを伝送する点において、実施の形態１に係るデータ伝送システム５０と異なる。
【０１５０】
カメラ６は、所定のフレームレート（たとえば６０ｆｐｓ）で画像を取得する。データ伝送システム５０Ｆは、カメラ６が取得した１フレームの画像を画像データ信号として送信するとともに、制御信号を送信する送信部１と、そのデータ信号および制御信号を受信する受信部２と、画像データ信号および制御信号が伝送される配線部３とを備える。送信部１は、クロック信号ＣＬＫ、データ信号Ｄ０〜Ｄｎ、水平同期信号Ｈ−ｓｙｎｃ、垂直同期信号Ｖ−ｓｙｎｃ、およびデータイネーブル信号ＥＮＢを送信する。さらに、送信部１は、受信部２から信号ＲＥＶを受信する。
【０１５１】
受信部２は、クロック信号ＣＬＫ、データ信号Ｄ０〜Ｄｎ、水平同期信号Ｈ−ｓｙｎｃ、垂直同期信号Ｖ−ｓｙｎｃ、およびデータイネーブル信号ＥＮＢを制御部４に送信する。制御部４は、これらの信号に基づいて、たとえば１フレームの画像を形成するための画像データを生成する。
【０１５２】
送信部１による画像データ信号および制御信号の送信処理は、実施の形態１〜実施の形態３のいずれかの形態に係る処理と同様の処理である。さらに、各実施の形態に従う処理を適宜組み合わせることもできる。さらに、配線部３に代えて配線部３Ａ〜３Ｃのいずれかをデータ伝送システム５０Ｆに適用することもできる。
【０１５３】
なお、この実施の形態では、送信部１がマスターであり受信部２がスレーブとなる。すなわち受信部２は、送信部１から送られる画像データ信号および制御信号を受動的に受信する。ただし、受信部２がマスターであり送信部１がスレーブであってもよい。すなわち実施の形態１〜実施の形態３のいずれかの形態に係る処理に従って送信部１が画像データ信号および制御信号を送信するように、受信部２が送信部１を制御してもよい。
【０１５４】
実施の形態７によれば、１フレーム伝送期間における送信部１の消費電力を低減することができる。さらに実施の形態７によれば、１フレーム伝送期間におけるカメラ６の消費電力を低減することができる。
【０１５５】
［実施の形態８］
図２７は、実施の形態８に係る電子機器の概略的構成を示した図である。図１および図２７を参照して、電子機器１００Ｇは、無線通信部８を備える点において電子機器１００と異なる。無線通信部８は、受信部２から１フレームの画像の各ラインに対応する画像データ信号を受けるとともに、その画像データ信号に基づいて、１フレームの画像に対応する画像データを無線信号として送信する。
【０１５６】
図２８は、実施の形態８に係る電子機器の他の構成を示した図である。図２７および図２８を参照して、電子機器１００Ｈは、無線通信部８が送信部１に接続される点において電子機器１００Ｇと異なる。図２８に示された構成によれば、無線通信部８は、１フレームの画像に対応する画像データを無線信号として受信するとともに、その画像の各ラインに対応する画像データ信号を送信部１に出力する。
【０１５７】
なお、電子機器１００Ｇおよび１００Ｈは、データ伝送システム５０に代えて、上記のデータ伝送システム５０Ａ〜５０Ｄのいずれか１つを備えることもできる。図示されていないが、電子機器１００Ｇおよび１００Ｈは、表示装置５および／またはカメラ６をさらに備えていてもよい。さらに、電子機器１００Ｇおよび１００Ｈは、送信部１あるいは受信部２に対して画像データ信号を授受する制御部４を備えていてもよい。
【０１５８】
実施の形態８によれば、１フレーム伝送期間における送信部１の消費電力を低減することができる。さらに実施の形態７によれば、１フレーム伝送期間における無線通信部の消費電力を低減することができる。
【０１５９】
＜適用例＞
本発明が適用可能な電子機器は、画像データを伝送するためのシステムを有する機器であれば特に限定されるものではない。近年では、電子機器の種類を問わず、その機器の消費電力を低減することが求められる。本発明を、画像データを伝送するためのシステムを有する機器に搭載することで、その機器の消費電力を低減することができる。
【０１６０】
本発明に係る電子機器の好適な例として、携帯端末機器を挙げることができる。携帯端末機器の動作時間とその機器の消費電力とは密接に関連する。携帯端末機器に本発明を適用することで、携帯端末機器の動作時間を延ばす効果が高められる。以下では、本発明の実施形態に係る電子機器の一例として、携帯電話を示す。
【０１６１】
図２９は、本発明の実施形態に係る電子機器の一例である携帯電話の正面方向からの斜視図である。図２９を参照して、電子機器１００は、折り畳み式の携帯電話機である。この携帯電話は、本体部１０２と、本体部１０２の一端に設けられたヒンジ部１０１と、ヒンジ部１０１を回転軸として回転可能に設けられた蓋部１０３とを備える。本体部１０２は、携帯電話を操作するための操作キー１０４を備える。蓋部１０３は、表示パネル５Ａを備えるとともに、その内部にドライバ５Ｂ（図示せず）を備えている。なお、電子機器１００Ａ〜１００Ｈのいずれも図２９に示される携帯電話として実現可能である。また、図２９に示されていないが、携帯電話は、実施の形態８に係る無線通信部８を備えている。
【０１６２】
図３０は、図２９に示されたヒンジ部１０１およびその周辺部分の透視平面図である。図２９および図３０を参照して、本体部１０２の内部には、送信部１が実装される。一方、蓋部１０３の内部には、受信部２が実装される。送信部１と受信部２とは配線部３によって接続される。配線部３は、可撓性を有する。送信部１、受信部２および配線部３によってデータ伝送システム５０が構成される。
【０１６３】
なお、データ伝送システム５０に代えてデータ伝送システム５０Ａ〜５０Ｃのいずれかが電子機器に搭載されてもよい。特に、光配線モジュールを含む配線部３Ｃを備えることによって、画像データ信号を高速に伝送することができる。さらに信号のノイズ耐性が高まるため、画像データ信号の伝送の信頼性を高めることもできる。
【０１６４】
図３１は、図２９に示した携帯電話の背面方向からの斜視図である。図２９を参照して、携帯電話（電子機器１００，１００Ａ〜１００Ｈ）の蓋部１０３にカメラ６が設けられる。ただしカメラ６の位置は特に限定されるものではない。カメラ６は画像を取得するとともに画像データを出力する。したがって、カメラ６からの画像データの送信のために、本発明の実施の形態に係るデータ伝送システム（たとえば実施の形態７に係るデータ伝送システム５０Ｆ）を適用することができる。
【０１６５】
なお、上記の実施の形態において、表示装置は液晶表示装置である。ただし表示装置は液晶表示装置に限定されず、たとえば有機ＥＬ（electroluminescence）ディスプレイを本発明の実施の形態に適用できる。同様に、カメラの種類も限定されず、たとえばＣＣＤカメラ、ＣＭＯＳカメラ等を本発明の実施の形態に適用できる。
【０１６６】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【符号の説明】
【０１６７】
１  送信部、２  受信部、３，３Ａ〜３Ｃ  配線部、４  制御部、５  表示装置、５Ａ  表示パネル、５Ｂ  ドライバ、５Ｃ  メモリ、６  カメラ、８  無線通信部、１１  クロック生成部、１２  クロック送信部、１３  画像データ信号送信部、１４  制御信号送信部、１５  送信制御部、１６  信号受信部、２１，２１Ａ，２１Ｂ，２１Ｃ，２２，２２Ａ，２２Ｂ，２３Ａ  領域、３１  トランスミッタ、３２  レシーバ、３３  差動伝送線路、３５Ａ  光配線モジュール、３５Ｂ  電気配線部、３６  光送信部、３６Ａ  駆動回路、３６Ｂ  光源、３７  光受信部、３７Ａ  増幅器、３７Ｂ  受光部、３８  光配線、３８Ａ  コア部、３８Ｂ  クラッド部、５０，５０Ａ〜５０Ｆ  データ伝送システム、１００，１００Ａ〜１００Ｈ  電子機器、１０１  ヒンジ部、１０２  本体部、１０３  蓋部、１０４  操作キー、ＣＬＫ，ＣＬＫａ，ＣＬＫｂ  クロック信号、ＣＮ１，ＣＮ２  コネクタ、Ｄ０〜Ｄｎ  データ信号、ＥＮＢ  データイネーブル信号、Ｈ−ｓｙｎｃ  水平同期信号、ＨＢＬ１，ＨＢＬ２  水平ブランキング期間、ＨＦＰ  水平フロントポーチ期間、ＲＥＶ  信号、Ｔａ，Ｔｂ，Ｔｆ，Ｔｒ  周期、Ｖ−ｓｙｎｃ  垂直同期信号、ＶＢＬ１，ＶＢＬ２  垂直ブランキング期間、ＶＦＰ  垂直フロントポーチ、ＶＳＡ  垂直走査方向同期期間。
【図１】
2012063688.tif 000003
【図２】
2012063688.tif 000004
【図３】
2012063688.tif 000005
【図４】
2012063688.tif 000006
【図５】
2012063688.tif 000007
【図６】
2012063688.tif 000008
【図７】
2012063688.tif 000009
【図８】
2012063688.tif 000010
【図９】
2012063688.tif 000011
【図１０】
2012063688.tif 000012
【図１１】
2012063688.tif 000013
【図１２】
2012063688.tif 000014
【図１３】
2012063688.tif 000015
【図１４】
2012063688.tif 000016
【図１５】
2012063688.tif 000017
【図１６】
2012063688.tif 000018
【図１７】
2012063688.tif 000019
【図１８】
2012063688.tif 000020
【図１９】
2012063688.tif 000021
【図２０】
2012063688.tif 000022
【図２１】
2012063688.tif 000023
【図２２】
2012063688.tif 000024
【図２３】
2012063688.tif 000025
【図２４】
2012063688.tif 000026
【図２５】
2012063688.tif 000027
【図２６】
2012063688.tif 000028
【図２７】
2012063688.tif 000029
【図２８】
2012063688.tif 000030
【図２９】
2012063688.tif 000031
【図３０】
2012063688.tif 000032
【図３１】
2012063688.tif 000033
【手続補正書】
【提出日】平成23年8月9日(2011.8.9)
【手続補正１】
【補正対象書類名】明細書
【補正対象項目名】００６３
【補正方法】変更
【補正の内容】
【００６３】
具体的には、送信制御部１５は、画像データ信号送信部１３がデータ信号Ｄ０〜Ｄｎを送信するときには制御信号送信部１４が制御信号の送信を停止するように画像データ信号送信部１３および制御信号送信部１４を制御する。その一方で、画像データ信号送信部１３がデータ信号Ｄ０〜Ｄｎの送信を停止するときには、制御信号送信部１４が制御信号を送信するように画像データ信号送信部１３および制御信号送信部１４を制御する。これにより、１フレーム伝送期間に含まれるデータ信号伝送期間の間、データ信号Ｄ０〜Ｄｎと水平同期信号とが交互に出力される。
【手続補正２】
【補正対象書類名】明細書
【補正対象項目名】００９４
【補正方法】変更
【補正の内容】
【００９４】
（１フレーム伝送期間に含まれるスリープモード期間／１フレーム伝送期間）＞（制御信号の伝送期間と制御信号の伝送のためのマージン期間の合計／１フレーム伝送期間）  …（１）
図５および図６を参照して、１本のラインは、１フレームの画像を分割するための所定の単位に対応する。所定の単位（１ライン）の数と、所定の単位の伝送期間との積によって、１フレーム伝送期間を定義することができる。１フレーム伝送期間に含まれる所定の単位の中には、データ信号を含むものとデータ信号を含まないものとがある。データ信号を含まない「所定の単位」の伝送期間の合計が、上記「スリープモード期間」（第１の期間）に対応する。一方、１フレーム伝送期間のうち、データ信号を含む「所定の単位」の伝送期間からデータ信号の伝送期間を差し引いた差分の期間の合計を第２の期間とする。第１の期間は、ＶＢＬ１＋ＶＦＰ＋ＶＢＰ＋ＶＳＡ＋ＶＢＬ２に相当する。一方、第２の期間は、画像データ信号伝送期間中の（ＨＢＰ＋ＨＳＡ＋ＨＦＰ）の合計の期間、ＶＦＰの終了から画像データ信号伝送期間の開始までの期間、および画像データ信号伝送期間の終了からＶＢＰの開始までの期間を含む。
【手続補正３】
【補正対象書類名】明細書
【補正対象項目名】０１０４
【補正方法】変更
【補正の内容】
【０１０４】
また、上記の説明では、画像データ信号の伝送のための送信部１の伝送モードとして、図５および図６に示された伝送モードのみが示される。ただし、送信部１は、単一の伝送モード（実施の形態１の場合には、図５および図６に示された伝送モード）を有するものと限定されない。具体的には、送信部１は、図３および図４に示された伝送モード（第１のモード）と、図５および図６に示された伝送モード（第２のモード）との両方を有することもできる。この場合、送信部１は、所定の条件、たとえば、図１に示した表示装置５での表示モードに従って上記第１のモードと第２のモードとを切換えることができる。以下に説明する各実施の形態においても同様に、送信部は、図３および図４に示された第１の伝送モードと、その伝送モードよりも伝送速度の大きい第２の伝送モードを有することができる。ただしその場合には、上記の通り、図８中の実線によって示された、伝送速度と消費電力との間の関係が満たされることが好ましい。
【手続補正４】
【補正対象書類名】特許請求の範囲
【補正対象項目名】全文
【補正方法】変更
【補正の内容】
【特許請求の範囲】
【請求項１】
１フレームの画像が所定の単位で分割されることで生成された複数のデータ信号と、前記データ信号に基づく予め定められた処理が実行されるタイミングを制御するための制御信号とを出力する送信部と、
前記データ信号および前記制御信号を受信する受信部と、
前記送信部からの前記データ信号および前記制御信号を前記受信部に伝送するための配線部とを備え、
前記送信部は、前記所定の単位の個数と前記所定の単位の伝送期間との積によって定義される、前記１フレームの画像の伝送のための予め定められた伝送期間内に、前記複数のデータ信号を順次出力し、前記データ信号が非出力とされる第１および第２の期間に前記制御信号を出力し、
前記第１の期間は、前記予め定められた伝送期間のうちの、前記データ信号を含まない前記所定の単位の伝送期間の合計に等しい期間であり、
前記第２の期間は、前記予め定められた伝送期間のうちの、前記データ信号を含む前記所定の単位の伝送期間から前記データ信号の伝送期間を差し引いた差分の時間の合計に等しい期間であり、
前記第１の期間を前記送信部のスリープモード期間と定義し、前記制御信号の送信タイミングのずれを吸収するために前記第１の期間内および前記第２の期間内に設けられる期間をマージン期間と定義すると、
前記予め定められた伝送期間に対する前記スリープモード期間の割合が、前記予め定められた伝送期間に対する、前記制御信号の伝送期間および前記制御信号の伝送のための前記マージン期間の合計の割合よりも大きくなるように、前記制御信号および前記データ信号の両方が伝送されないダミーのブランキング期間が含められた前記スリープモード期間が設定される、画像データ伝送システム。
【請求項２】
１フレームの画像が所定の単位で分割されることで生成された複数のデータ信号と、前記データ信号に基づく予め定められた処理が実行されるタイミングを制御するための制御信号とを出力する送信部と、
前記データ信号および前記制御信号を受信する受信部と、
前記送信部からの前記データ信号および前記制御信号を前記受信部に伝送するための配線部とを備え、
前記送信部は、前記所定の単位の個数と前記所定の単位の伝送期間との積によって定義される、前記１フレームの画像の伝送のための予め定められた伝送期間内に、前記複数のデータ信号を順次出力し、前記データ信号が非出力とされる第１および第２の期間に前記制御信号を出力し、
前記第１の期間は、前記予め定められた伝送期間のうちの、前記データ信号を含まない前記所定の単位の伝送期間の合計に等しい期間であり、
前記第２の期間は、前記予め定められた伝送期間のうちの、前記データ信号を含む前記所定の単位の伝送期間から前記データ信号の伝送期間を差し引いた差分の時間の合計に等しい期間であり、
前記第２の期間を前記送信部のスリープモード期間と定義し、
前記制御信号の送信タイミングのずれを吸収するために前記第１の期間内および前記第２の期間内に設けられる期間をマージン期間と定義すると、
前記予め定められた伝送期間に対する前記スリープモード期間の割合が、前記予め定められた伝送期間に対する、前記制御信号の伝送期間および前記制御信号の伝送のための前記マージン期間の合計の割合よりも大きくなるように、前記制御信号および前記データ信号の両方が伝送されないダミーのブランキング期間が含められた前記スリープモード期間が設定される、画像データ伝送システム。
【請求項３】
前記送信部は、前記第１および第２の期間の両方において前記制御信号を出力し、
前記第１および第２の期間を前記スリープモード期間と定義すると、
前記予め定められた伝送期間に対する前記スリープモード期間の割合が、前記予め定められた伝送期間に対する、前記制御信号の伝送期間および前記制御信号の伝送のためのマージン期間の合計の割合よりも大きくなるように、前記スリープモード期間が設定される、請求項１または２に記載の画像データ伝送システム。
【請求項４】
前記第１の期間に伝送される前記制御信号は、垂直同期信号を含み、
前記垂直同期信号の伝送期間と前記垂直同期信号の伝送のための前記マージン期間との
和は、前記予め定められた伝送期間の２０％以下である、請求項１または３に記載の画像データ伝送システム。
【請求項５】
前記第２の期間に伝送される前記制御信号は、水平同期信号を含み、
前記水平同期信号の伝送のための前記マージン期間は、前記水平同期信号の伝送期間の１０倍以下である、請求項２または３に記載の画像データ伝送システム。
【請求項６】
１フレームの画像が所定の単位で分割されることで生成された複数のデータ信号と、前記データ信号に基づく予め定められた処理が実行されるタイミングを制御するための制御信号とを出力する送信部と、
前記データ信号および前記制御信号を受信する受信部と、
前記送信部からの前記データ信号および前記制御信号を前記受信部に伝送するための配線部とを備え、
前記送信部は、前記１フレームの画像の伝送のための予め定められた伝送期間内に前記複数のデータ信号を順次出力するための第１および第２の伝送モードを有する一方、前記データ信号の出力を停止する場合には、前記データ信号の出力時に比較して前記送信部の消費電力が小さくなるスリープモードに移行し、
前記送信部は、前記第２の伝送モードにおいて、前記第１の伝送モードよりも、前記データ信号の伝送速度を大きくすることによって、前記予め定められた伝送期間の中で前記データ信号を伝送する時間を短縮させ、前記制御信号および前記データ信号の両方が伝送されないダミーのブランキング期間を含めて前記スリープモードであるスリープモード期間の長さを延長し、前記スリープモード期間の前記予め定められた伝送期間に対する割合を、前記第１の伝送モードにおける前記割合より大きくする、画像データ伝送システム。
【請求項７】
前記送信部の伝送速度が第１の速度から第２の速度に増加したときにおける前記送信部の消費電力の増加率は、前記第１の速度に対する前記第２の速度の比の１倍以下である、請求項１〜６のいずれか１項に記載の画像データ伝送システム。
【請求項８】
前記送信部は、前記スリープモード期間の間に、前記データ信号および前記制御信号の両方が非伝送となる期間を設定する、請求項１〜７のいずれか１項に記載の画像データ伝送システム。
【請求項９】
前記所定の単位は、１ラインであって、
前記１ラインに対応する伝送期間と、前記スリープモード期間とは、前記送信部で用いられるクロック信号の周期の整数倍である、請求項１〜８のいずれか１項に記載の画像データ伝送システム。
【請求項１０】
前記配線部は、前記データ信号および前記制御信号のうちの少なくとも前記データ信号を、差動シリアル伝送方式に従って伝送するように構成された信号配線を含む、請求項１〜９のいずれか１項に記載の画像データ伝送システム。
【請求項１１】
前記配線部は、
前記データ信号および前記制御信号のうちの少なくとも前記データ信号を、光信号の形態で伝送する光配線モジュールを含む、請求項１〜１０のいずれか１項に記載の画像データ伝送システム。
【請求項１２】
前記光配線モジュールの１レーンあたりの伝送速度は、５００Ｍｂｐｓ以上である、請求項１１に記載の画像データ伝送システム。
【請求項１３】
前記受信部は、表示装置に前記データ信号および前記制御信号を出力し、
前記予め定められた処理は、前記表示装置による、前記１フレームの画像の表示処理である、請求項１〜１２のいずれか１項に記載の画像データ伝送システム。
【請求項１４】
前記表示装置は、メモリを含み、
前記メモリは、前記データ信号に対応する前記１フレームの画像のデータを記憶する、請求項１３に記載の画像データ伝送システム。
【請求項１５】
前記送信部は、カメラによって取得された画像に対応する前記データ信号を送信する、請求項１〜１２のいずれか１項に記載の画像データ伝送システム。
【請求項１６】
前記送信部は、無線通信部によって受信された前記１フレームの画像に対応するデータを、前記データ信号として送信する、請求項１〜１２のいずれか１項に記載の画像データ伝送システム。
【請求項１７】
前記受信部は、前記データ信号を無線通信部に出力し、
前記無線通信部は、前記データ信号を無線によって送信する、請求項１〜１２のいずれか１項に記載の画像データ伝送システム。
【請求項１８】
請求項１〜１７のいずれか１項に記載の画像データ伝送システムを備える、電子機器。
【請求項１９】
前記電子機器は、携帯端末機器である、請求項１８に記載の電子機器。
【手続補正５】
【補正対象書類名】図面
【補正対象項目名】図９
【補正方法】変更
【補正の内容】
【図９】
2012063688.tif 000034